(57)【特許請求の範囲】
【請求項１】
束状のヘアを通す楕円形状のリング部と、このリング部の長辺側に取り付けられる飾り部とを備えるヘアアクセサリーであって、
前記リング部内に挿通可能なスティック部と、
このスティック部の先端に設けられヘアを束ねた状態で摘み取るフック部と、
このフック部を開閉可能とする一対のハンド部と、
このハンド部を手元で操作可能な開放手段とを備え、
前記一対のハンド部の一方の先端が他方の先端より張り出し、且つ他方の先端に被さるように構成されたフックスティックを用いて、
前記リング部内に束状のヘアを通した後、このリング部を短軸方向に押圧変形させることで前記飾り部をヘアの所定位置に固定することを特徴とするヘアアクセサリー。
【請求項２】
前記一方のハンド部の先端は、他方のハンド部の先端より幅広に形成されている請求項１に記載のヘアアクセサリー。
【請求項３】
前記開放手段が、前記スティック部に設けられ、付勢バネを介して一対のハンド部を開放させるスライドレバーを備える請求項１に記載のヘアアクセサリー。
【請求項４】
前記ハンド部は、前記リング部を吸着する磁性材によって形成されている請求項１に記載のヘアアクセサリー。
【請求項５】
前記飾り部は、前記リング部の長辺側に固定された台座に装着されている請求項１に記載のヘアアクセサリー。
【請求項６】
前記リング部の内面には突起が設けられている請求項１に記載のヘアアクセサリー。
【請求項７】
前記突起が、リング部の円周方向に沿って筋状に設けられている請求項６に記載のヘアアクセサリー。
【請求項８】
前記突起が、連続した筋状又は断続的な筋状に設けられている請求項６又は７に記載のヘアアクセサリー。
【請求項９】
前記断続的な筋状に設けられた突起が２本平行に設けられ、且つ交互に配列されている請求項８に記載のヘアアクセサリー。
【請求項１０】
前記飾り部が、リング部の対向する両方の長辺側にそれぞれ取り付けられる請求項１に記載のヘアアクセサリー。
【発明の詳細な説明】
【技術分野】
【０００１】
本発明は、ヒト又はペットなどのヘアに装着するためのヘアアクセサリー及びフックスティックに関する。
【背景技術】
【０００２】
従来、ヒト、特に女性のヘアスタイルを美しく見せたり、変化させたりするために、各種のヘアアクセサリーが使用されている。このようなヘアアクセサリーには、大きく二種類のタイプがある。図１２は、第１のタイプによるヘアアクセサリー６０の使用例を示したものである。このタイプのヘアアクセサリー６０は、固定用の弾力クリップ６２の上に宝飾類が取り付けられた飾りクリップ６１を配置して構成されている。髪の毛への装着は、前記飾りクリップ６１を髪の毛の所定位置にあてがい、弾力クリップ６２を閉じることによって行う。
【０００３】
図１３は、第２のタイプによるヘアアクセサリー７０を示したものである。このタイプのヘアアクセサリー７０は、固定用挿し７２と、この固定用挿し７２の上に台座７３を介して宝石等の装飾品７４が載置されたスタイルクリップ７１とを備えて構成されている。髪の毛への装着は、前記固定用挿し７２を髪の毛の所定位置に挿し込むことによって行う。
【発明の概要】
【発明が解決しようとする課題】
【０００４】
上記第１のタイプのヘアアクセサリー６０にあっては、弾力クリップ６２を留めるための毛量がある程度ないとしっかり固定できないといった問題がある。また、全体的に厚みを有するため、髪の毛に装着した場合は、帽子やヘルメットを被る際に頭部が圧迫されて不快感を生じるといった問題もあった。
【０００５】
一方、第２のタイプのヘアアクセサリー７０にあっては、固定用挿し７２を髪の毛に挿し込んで固定させるため、滑り落ちたりすることが多い。また、帽子やヘルメットを被る際に引っ掛かりやすく不便である。製造方法に関しては、スタイルクリップ７１上に台座７３を溶接等によって取り付け、さらに、この台座７３上に宝石等の装飾品７４を固定させるため、製造コストも嵩むといった問題もあった。
【０００６】
また、上記ヘアアクセサリー６０、７０は、宝石類からなる装飾品の配置が製品ごとに固定であること、また、装着箇所がヘアスタイルの中の一か所に限定されるため、スタイリングの変化に乏しいものであった。さらに、洗髪や寝る時などには、一々外さなければならないといった不便さがあった。
【０００７】
そこで、本発明の目的は、ヒトやペット等のヘアに違和感なく常時装着したままの状態にすることができ、組み合わせ方によって様々なヘアスタイリングを施すことが可能なヘアアクセサリー及びこのヘアアクセサリーを装着するのに好適なフックスティックを提供することである。
【課題を解決するための手段】
【０００８】
上記課題を解決するために、本発明のヘアアクセサリーは、束状のヘアを通す楕円形状のリング部と、このリング部の長辺側に取り付けられる飾り部とを備えるヘアアクセサリーであって、前記リング部内に挿通可能なスティック部と、このスティック部の先端に設けられヘアを束ねた状態で摘み取るフック部と、このフック部を開閉可能とする一対のハンド部と、このハンド部を手元で操作可能な開放手段とを備え、前記一対のハンド部の一方の先端が他方の先端より張り出し、且つ他方の先端に被さるように構成されたフックスティックを用いて、前記リング部内に束状のヘアを通した後、このリング部を短軸方向に押圧変形させることで前記飾り部をヘアの所定位置に固定することを特徴とする。
【発明の効果】
【００１０】
本発明に係るヘアアクセサリーにあっては、飾り部が楕円形状のリング部の長辺側に取り付けられ、ヒトの髪の毛又はペット等のヘアに装着する際に、前記リング部を短軸方向に押圧変形させるので作業がし易く、また前記飾り部をヘアの任意の位置にしっかり固定することができる。このため、洗髪や寝る時などにあっても一々外す必要がなく、常時装着したままの状態にすることができる。また、ヘアアクセサリーがリング部と飾り部とで形成されているため、ヘアスタイルに合わせて、任意の間隔で複数個配置させることができ、飾り部に宝石やビーズ等の好みの装飾品を適宜選択することで、個人の好みやヘアスタイルあるいは毛並みに応じた多様な装着形態をとることが可能となる。
【００１１】
また、リング部の内面に突起を設けることによって、髪の毛により一層しっかりと固定することができる。
【００１２】
本発明のフックスティックにあっては、長形状のスティック部の先端にヘアを束状にして摘み取って収容するための開閉可能な一対のハンド部を有したフック部を備えているので、リング部にヘアを通して固定するタイプのヘアアクセサリーを容易に装着させることができる。前記一対のハンド部は、一方のハンド部がヘアを摘む他方のハンド部の先端から張り出すようにして被さるため、摘んだヘアの脱落を防止することができるとともに、開閉操作も容易となる。
【００１３】
また、ハンド部を手元で開放操作ができるように構成することによって、より一層作業が容易なものとなる。
【００１４】
さらに、前記フック部を磁性部材で形成することで、金属部材からなるリング状のヘアアクセサリーを容易に引き付けることができるので装着が容易となる。
【図面の簡単な説明】
【００１５】
【図１】本発明の第１実施例に係るヘアアクセサリーの斜視図である。
【図２】上記ヘアアクセサリーのリング部を髪の毛に固定した状態を示す斜視図である。
【図３】上記ヘアアクセサリーの使用例を示す説明図である。
【図４】第２実施例に係るヘアアクセサリーの斜視図である。
【図５】図４のＶ-Ｖ線断面図である。
【図６】第３実施例に係るヘアアクセサリーの正面図である。
【図７】上記ヘアアクセサリーを髪の毛に装着した状態の説明図である。
【図８】上記ヘアアクセサリーをペットのヘアに装着した状態の説明図である。
【図９】上記ヘアアクセサリーを装着する際に使用するフックスティックの斜視図である。
【図１０】フックスティックのフック部に備えた開放手段の斜視図である。
【図１１】上記ヘアアクセサリーの装着手順を示す説明図である。
【図１２】従来のヘアアクセサリーの装着例を示す説明図である。
【図１３】従来の他のヘアアクセサリーの装着例を示す説明図である。
【発明を実施するための形態】
【００１６】
以下、添付図面に基づいて本発明に係るヘアアクセサリー及びフックスティックの実施形態を詳細に説明する。なお、以下に示す実施形態では、ヘアアクセサリーの装着対象がヒトの髪の毛である場合について説明する。図１に示すように、本発明の第１実施形態のヘアアクセサリー１０は、複数本束ねた髪の毛を通して固定するリング部１１と、このリング部１１上に取り付けられる飾り部１２とを有して構成されている。
【００１７】
前記リング部１１は、変形可能な金属材料によって楕円形状に形成されている。このリング部１１は、図２に示すように、髪の毛Ｈを数本から数十本或いは数百本の単位で束ねることが可能な数ｍｍ程度のリング径を有して形成することができ、また、取り付けられる飾り部１２のサイズや装着される髪の毛の毛量に適合するようないくつかのリング径のものを用意しておくことが可能である。髪の毛Ｈに固定する際には、後述するように、前記リング部１１の長辺側の上面１１ａと下面１１ｂを例えば理美容用のトング等で挟み込んで押圧変形させ、上下方向に潰れたリング部１１の間に髪の毛Ｈを挟み込むことで固定する。
【００１８】
前記飾り部１２は、図１に示したように、前記リング部１１の一方の長辺側上に取り付けられる台座１３を介して装着される。台座１３は、前記飾り部１２の平面サイズに合わせて円形状あるいは角形状に形成された金属板であり、上面が飾り部１２を載置する平坦面となっている。この台座１３は、前記リング部１１の外周部上に溶接、あるいは、リング部１１と一体にして形成することができる。
【００１９】
このように、前記リング部１１を押圧変形させて髪の毛Ｈに固定することで、固定が強固となり、パーマ等による通常のセットや洗髪によっても１〜２カ月程度、当初の装着状態を維持することが可能である。また、装着したままで寝ても違和感がないので、寝る時などにも一々外す必要がなく、ヘアアクセサリー１０を常時髪の毛Ｈに装着したままにすることができる。
【００２０】
また、前記リング部１１を楕円形状としたことで、飾り部１２の向きを合わせ易くなり、図３に示したように、複数のヘアアクセサリー１０を連なるように装着する際などにも飾り部１２を全て表面側に向かせることができる。また、リング部１１を指で掴んで作業する際に扱い易くなる他、リング部１１を変形させる際の押圧操作も容易となり、また押圧力も少なくて済む。なお、ヘアアクセサリー１０を外したり、交換したりする場合は、前記リング部１１をトング等によって、押圧した方向とは逆の長軸方向から押圧してリング部１１を元に近い形状に戻してから髪の毛Ｈを引き抜くことができる。
【００２１】
図４及び図５は、本発明の第２実施形態に係るヘアアクセサリー２０を示したものである。このヘアアクセサリー２０は、楕円形状をなすリング部２１の内面に断面が半円形状の一対の突起２４ａ，２４ｂを設けたものである。この実施形態における一対の突起２４ａ，２４ｂは、リング部２１の円周方向に沿って断続的な筋状に設けられている。また、突起２４ａ，２４ｂは、リング部２１の全周に亘って互いに平行に設けられると共に交互に配列されている。即ち、隣接する一方の突起２４ａの隙間２５ａに対応した位置に他方の突起２４ｂが配列され、また同様に隣接する他方の突起２４ｂの隙間２５ｂに対応した位置に一方の突起２４ａが配列されている。なお、リング部２１の上面には前記実施形態と同様、飾り部２２が台座２３を介して固定されている。
【００２２】
この実施形態に係るヘアアクセサリー２０では、図５（ａ），（ｂ）に示したように、リング部２１を押圧変形させた時に、突起２４ａ，２４ｂの先端で髪の毛Ｈをしっかりと押さえながら挟み込むことになるので、髪の毛Ｈをより確実に固定することができる。また、突起２４ａ，２４ｂを交互に配列したことで、図５（ｂ）に示したように、髪の毛Ｈがリング部２１内で屈曲された状態で挟持され、髪の毛Ｈがリング部２１から抜け難くなってより強固に固定されることになる。さらに、突起２４ａ，２４ｂがリング部２１の円周方向に沿って設けられているので、リング部２１内に髪の毛Ｈを通した時に、突起２４ａ，２４ｂに髪の毛Ｈが絡まって引っ掛かることもない。なお、上記の突起２４ａ，２４ｂを連続した筋状として設けることもできる。
【００２３】
図６は、本発明の第３実施形態に係るヘアアクセサリー３０を示したものである。このヘアアクセサリー３０は、楕円形状をなすリング部３１の長辺側の上面３１ａと下面３１ｂにそれぞれ飾り部３２ａ，３２ｂを設けたものである。なお、各飾り部３２ａ，３２ｂの装飾品は同一でもよいし、異なった種類のものを用いてもよい。例えば、通常の装着状態で表側に位置する飾り部３２ａには、装飾性の高い大きめの宝石類からなる装飾品を配置し、通常の装着状態では裏側に位置して髪の毛の中に隠れるような飾り部３２ｂには、頭皮を圧迫しないような薄手の装飾品を配置するといったような選択が可能である。なお、リング部３１の内面に、前記実施形態と同様の突起を設けることは勿論可能である。
【００２４】
この実施形態に係るヘアアクセサリー３０にあっては、図７に示したように、ヘアアクセサリー３０を装着した髪の毛Ｈを三つ編みにした場合や長期の使用によって髪の毛がよじれたような場合であっても、２種類の飾り部３２ａ，３２ｂがリング部３１の上面３１ａと下面３１ｂに設けられているので、いずれか一方の飾り部が表側に現れることになり装飾性を損なうことがない。さらに、風などによって自然に髪の毛がなびいた際に、一対の飾り部３２ａ，３２ｂが交互に表面に現れるなど、変化に富んだ装飾効果を得ることができる。
【００２５】
上述したいずれの実施形態にあっても、飾り部１２，２２，３２ａ，３２ｂは、様々なデザインやサイズに成形されたダイヤ、真珠、あるいはビーズなどの各種の宝飾類（装飾品）が用いられ、前記の台座に固定される。台座への固定は、接着剤を介して行われる場合と、台座に設けた複数の爪部（図示せず）に引っ掛けて固定する場合などがある。
【００２６】
また、上記ヘアアクセサリー１０，２０，３０は、一つ一つ独立しているので、組み合わせが自由である。したがって、１個からでも装着することができ、図３に示したように、平たく束状に揃えられた髪の毛Ｈの表面に沿うように、所定の個数及び間隔で装着したり、図７に示したように、編み上げた髪の毛Ｈに自由に装着することもできる。
【００２７】
さらに、前記ヘアアクセサリー１０，２０，３０にあっては、リング部が楕円形状となっているため、ストローク幅の狭い短軸方向に対して無理なく且つ均等に押圧変形させることができる。さらに、前記リング部の一方あるいは双方の長辺側に飾り部を備えているため、長辺側を押圧変形した際に、前記飾り部の位置決め固定が容易となり、髪の毛Ｈの表面側から見えるように位置を揃えて配列させることができる。
【００２８】
なお、上記形態のヘアアクセサリー１０，２０，３０は、女性の髪の毛全般は勿論のこと、耳に掛かる髪の毛に装着した場合には、ピアスをしているように見えるので、男性用のファッションとしても好適である。さらに、ヒトの髪の毛以外にも、図８に示すように、犬や猫等のペットＰのヘア全般にも装着することができ、毛並みを整えたり、愛玩用として飾り立てたりするといったこともできる。
【００２９】
図９は、上記ヘアアクセサリー１０を髪の毛に装着するためのフックスティック４０の構成を示したものである。
【００３０】
フックスティック４０は、直線状に長く延びるスティック部４１と、このスティック部４１の先端部に設けられるフック部４２と、スティック部４１の後端部に設けられるグリップ部４３とによって構成されている。なお、前記スティック部４１及びフック部４２の最大径は、前記ヘアアクセサリー１０のリング部１１内を貫通することが可能なサイズである。
【００３１】
また、前記スティック部４１には、前記フック部４２の先端部を基準とした目盛４４ａ，４４ｂを設けることができる。この目盛４４ａ，４４ｂは、例えば１０ｍｍ、５ｍｍといった間隔で設けることができ、ヘアアクセサリー１０を髪の毛の所定位置に装着させるための目安となる。さらに、前記グリップ部４３に小孔４５を設け、この小孔４５にフックスティック４０を使用する理美容スタッフあるいは利用客の名前等を記した名札等のストラップ４６を取り付けることができる。
【００３２】
前記フック部４２は、髪の毛の延びる方向と略直交する方向から束状にして摘み取るための第１のハンド部（鉤手）４７と、この鉤手４７によって摘み取られた束状の髪の毛が脱落したり、解けたりしないように前記鉤手４７を覆う開閉式の第２のハンド部（ストッパ）４８とで構成されている。
【００３３】
前記鉤手４７は、先端部がグリップ部４３側に湾曲して形成され、この湾曲した部分に摘み取られた複数本の髪の毛が束状にまとめて収容される。図９に示したように、ストッパ４８は、後端がスティック部４１の先端部にピン４９で回動自在に軸支され、このピン４９を支点として、先端（開閉面）４８ａが前記鉤手４７の先端部に被さるように閉じ、又、離間するように構成されている。前記開閉面４８ａは、閉じた際に鉤手４７の先端及び両側面部から張り出すような平面サイズを有して形成される。この張り出し幅の最大サイズは、楕円形状の前記リング部１１に挿入可能となるように規制される。このように前記開閉面４８ａの先端を幅広形状とすることで、鉤手４７によって摘み取られた髪の毛の脱落を防止することができるとともに、ストッパ４８を指先の爪に引っ掛けて開く時の操作を容易にすることができる。また、前記リング部１１の内径サイズと前記開閉面４８ａの幅サイズを適合することによって、フックスティック４０の挿入する方向が規定されるので、飾り部１２の位置を揃えた状態で複数のヘアアクセサリー１０の装着が可能となる。
【００３４】
前記ストッパ４８は、開閉面４８ａの先端部を指先で持ち上げることで開放されるが、図１０に示すような開放手段５０を設けることで、スティック部４１を持っている方の手で手元操作することができる。この開放手段５０は、ストッパ４８を回動可能に軸支するピン４９の両端突出部４９ａ，４９ｂと、一方の突出部４９ａに巻き付けられるワイヤ５１と、他方の突出部４９ｂに取り付けられる付勢バネ５２と、スティック部２１にスライド可能に取り付けられて前記ワイヤ５１を牽引するスライドレバー５３とを備えて構成される。前記ストッパ４８の開閉面４８ａは、通常、前記付勢バネ５２によって常時鉤手４７を覆う方向に閉じられている。この状態からスライドレバー５３をグリップ部４３側（矢印Ａ方向）にスライドさせるのに伴ってワイヤ５１が引かれ、ピン４９が回転することで、前記ストッパ４８はピン４９を中心として矢印Ｂ方向に回動して開放され鉤手４７から離間する。そして、前記鉤手４７で髪の毛を所定量摘み上げた後、スライドレバー５３を離すことで、付勢バネ５２の付勢力によってピン４９が元の回転位置に戻り、ストッパ４８が閉じる方向に回転して鉤手４７を閉じる。なお、ストッパ４８はヘアアクセサリー１０をフック部４２から引き抜くことで閉じられるので、付勢バネ５２を省略することも可能である。
【００３５】
このようなスライド式の開放手段５０を設けることによって、両手を使わずに片方の手だけでストッパ４８を開閉操作することができるので、ヘアアクセサリー１０の装着をより容易且つスムーズに行わせることができる。
【００３６】
また、前記鉤手４７及びストッパ４８の少なくとも一方をフェライト等の磁性部材で形成することによって、金属部材で形成されたリング部１１を吸着させることができる。このため、サイズが微小なリング部１１であっても、容易にフック部４２に通すことができる。
【００３７】
次に、図１１に基づいて、上記フックスティック４０によるヘアアクセサリー１０の装着手順について説明する。最初に、フックスティック４０のフック部４２にヘアアクセサリー１０のリング部１１を通し、スティック部４１の略中間位置に移動させてヘアアクセサリー１０を退避させておく（手順ａ）。次に、フック部４２のストッパ４８を開いた状態にしておき、鉤手４７に所定量の髪の毛Ｈを摘み取った後（手順ｂ）、ヘアアクセサリー１０をフック部４２側にスライドさせ、ストッパ４８を閉じながらリング部１１をフック部４２に挿入する（手順ｃ）。この状態でヘアアクセサリー１０を指で押さえながら、フックスティック４０をグリップ部４３側に引き寄せるようにしてリング部１１から引き抜く。これによって、髪の毛Ｈの所定位置にヘアアクセサリー１０が挿通される（手順ｄ）。この状態では、前記ヘアアクセサリー１０が固定されていないので、ペンチのような理美容用のトング５４で飾り部１２の上部とリング部１１の下部を挟むようにして、リング部１１の長辺側同志を押し潰しながら髪の毛Ｈに固定する（手順ｅ、ｆ）。なお、ヘアアクセサリー１０を複数並べて装着する場合は、上記（手順ａ）〜（手順ｄ）までの装着を繰り返して配置を行った後に、ヘアアクセサリー１０を一つ一つトング５４で挟みながら装着位置を調整しながら押圧して固定する。
【００３８】
上記装着方法では、ストッパ４８を指などで直接開閉させるタイプのフックスティック４０を使用したが、図１０に示したような開放手段５０を有する場合は、スライドレバー５３を前後方向にスライドさせることで、ストッパ４８の開閉を行うことができる。
【００３９】
なお、上述したフックスティック４０の説明では、第１実施形態に係るヘアアクセサリー１０を例にして説明したが、第２実施例及び第３実施例に係るヘアアクセサリー２０，３０についても同様である。
【００４０】
以上説明したように、本発明のヘアアクセサリーによれば、図３及び図７に示したように、一束の髪の毛上に同種あるいは異なったデザインの装飾品からなるヘアアクセサリーを一つ一つ自由に装着することができるので、スタイリストのセンスに応じて様々なスタイリングが可能となる。また、装着方法もヘアアクセサリーが取り付けられているリング部を押圧変形させて髪の毛に固定するため、固定が強固となり、パーマ等による通常のセットや洗髪によっても長期間当初の装着状態を維持することが可能である。
【００４１】
さらに、前記リング部に挿通可能な開閉式のフック部を有したフックスティックを用いることで、ヘアアクセサリーを髪の毛の所定位置に容易且つ確実に装着させることができる。
【００４２】
なお、上記ヘアアクセサリー及びフックスティックを用いた装着方法は、犬や猫等のペットのヘアにもそのまま応用することができる。
【符号の説明】
【００４３】
Ｈ  髪の毛（ヘア）
Ｐ  ペット
１０  ヘアアクセサリー
１１  リング部
１１ａ  上面
１１ｂ  下面
１２  飾り部
１３  台座
２０  ヘアアクセサリー
２１  リング部
２２  飾り部
２３  台座
２４ａ，２４ｂ  突起
２５ａ，２５ｂ  隙間
３０  ヘアアクセサリー
３１  リング部
３１ａ  上面
３１ｂ  下面
３２ａ，３２ｂ  飾り部
４０  フックスティック
４１  スティック部
４２  フック部
４３  グリップ部
４４ａ，４４ｂ  目盛
４５  小孔
４６  ストラップ
４７  鉤手（第１のハンド部）
４８  ストッパ（第２のハンド部）
４８ａ  開閉面
４９  ピン
５０  開放手段
５１  ワイヤ
５２  付勢バネ
５３  スライドレバー
５４  トング
６０  ヘアアクセサリー
６１  飾りクリップ
６２  弾力クリップ
７０  ヘアアクセサリー
７１  スタイルクリップ
７２  固定用挿し
７３  台座
７４  装飾品
【図１】
0005439119.tif 000002
【図２】
0005439119.tif 000003
【図３】
0005439119.tif 000004
【図４】
0005439119.tif 000005
【図５】
0005439119.tif 000006
【図６】
0005439119.tif 000007
【図７】
0005439119.tif 000008
【図８】
0005439119.tif 000009
【図９】
0005439119.tif 000010
【図１０】
0005439119.tif 000011
【図１１】
0005439119.tif 000012
【図１２】
0005439119.tif 000013
【図１３】
0005439119.tif 000014